(57)【要約】【課題】給水することで掃除具を清掃できる掃除具の収納装置を提供する。【解決手段】駆動手段６と、駆動手段６をＯＮ，ＯＦＦするスイッチ手段９を備えた掃除具５を収納し得る収納装置１は、収納装置１内に水を溜めることのできる給水手段２，２ａと、収納装置１内の水を抜くことのできる排水手段３，３ａを備えているとともに、収納装置１内に水が溜まった状態でスイッチ手段９をＯＮして、掃除具５を駆動させて自己洗浄させることができ、水が抜かれた状態でスイッチ手段９をＯＦＦとして、掃除具５の駆動を停止させることのできるスイッチ切替手段４を備えている。【選択図】図３
2010137130.tif 000002
【特許請求の範囲】
【請求項１】
駆動手段と該駆動手段をＯＮ，ＯＦＦするスイッチ手段を備えた掃除具を収納し得る収納装置であって、
該収納装置は、該収納装置内に水を溜めることのできる給水手段と、該収納装置内の水を抜くことのできる排水手段を備えているとともに、該収納装置内に水が溜まった状態で前記スイッチ手段をＯＮし、水が抜かれた状態で前記スイッチ手段をＯＦＦとし得るスイッチ切替手段を備えている
ことを特徴とする掃除具の収納装置。
【請求項２】
前記スイッチ切替手段が収納装置の底部に設けられ、前記掃除具が収納装置の底部上にほぼ当接状態にある時に前記スイッチ手段がＯＦＦされ、掃除具が収納装置の底部から上昇し離れた時にスイッチ手段がＯＮされるように構成したことを特徴とする請求項１に記載の掃除具の収納装置。
【請求項３】
前記スイッチ手段が磁石式近接スイッチで構成され、前記スイッチ切替手段が磁石で構成されていることを特徴とする請求項１または請求項２に記載の掃除具の収納装置。
【請求項４】
前記掃除具は充電手段を有し、該充電手段に電力を供給する送電コイルで前記スイッチ切替手段が構成され、前記充電手段が充電されている時に前記スイッチ手段がＯＦＦされ、該充電手段が非充電状態で前記スイッチ手段がＯＮされるように構成したことを特徴とする請求項１または請求項２に記載の掃除具の収納装置。
【発明の詳細な説明】
【技術分野】
【０００１】
本発明は、掃除具を良好に洗浄することのできる掃除具の収納装置に関するものである。
【背景技術】
【０００２】
従来、特許文献１に開示されているように、掃除機本体が帰還する固定ステーションを備え、この固定ステーションにおいて、帰還した掃除機本体に対し、充電部による充電と洗浄部による洗浄とが同時に行われるように構成したものが存在する。
【特許文献１】特開２００５−２１１４２６号公報
【発明の開示】
【発明が解決しようとする課題】
【０００３】
上記特許文献１に開示されているものでは、掃除機本体を洗浄しながら充電することができるが、充電端子に繋いでおく必要があり、掃除機本体全体を動かして洗浄することはできないものであった。しかも、充電器と掃除機本体の充電端子を接続しなければならず、作業工程が増えてしまうという問題点があった。
【課題を解決するための手段】
【０００４】
本発明は、掃除具を収納して、内部で掃除具を容易に清掃できる収納装置の提供を目的とし、この目的の少なくとも一部を達成するために以下の手段を採った。
本発明は、駆動手段と該駆動手段をＯＮ，ＯＦＦするスイッチ手段を備えた掃除具を収納し得る収納装置であって、該収納装置は、該収納装置内に水を溜めることのできる給水手段と、該収納装置内の水を抜くことのできる排水手段を備えているとともに、該収納装置内に水が溜まった状態で前記スイッチ手段をＯＮし、水が抜かれた状態で前記スイッチ手段をＯＦＦとし得るスイッチ切替手段を備えていることを要旨とする。
【発明の効果】
【０００５】
本発明の掃除具の収納装置では、収納装置内に掃除具を入れて、収納装置の給水手段により収納装置内に水を入れると、水が溜まった状態で収納装置に設けられているスイッチ切替手段から掃除具内のスイッチ手段が離れ、スイッチ手段がＯＮとなり、掃除具内の駆動手段が駆動を開始し、これにより、収納装置内で掃除具自体が駆動により回転等され、掃除具を良好に自己洗浄することができる。
また、収納装置の排水手段を介して収納装置内の水を抜くことで、収納装置のスイッチ切替手段に掃除具内のスイッチ手段が近接し、これによりスイッチ手段がＯＦＦとなって掃除具の駆動が停止される。
【０００６】
また、本発明の掃除具の収納装置において、前記スイッチ切替手段が収納装置の底部に設けられ、前記掃除具が収納装置の底部上にほぼ当接状態にある時に前記スイッチ手段がＯＦＦされ、掃除具が収納装置の底部から上昇し離れた時にスイッチ手段がＯＮされるように構成することもできる。
こうすれば、収納装置内の水が抜かれると掃除具が収納装置の底部側に下降して、収納装置の底部に設けられているスイッチ切替手段に対し掃除具内のスイッチ手段が近接し、これによりスイッチ手段がＯＦＦされて掃除具の駆動が良好に停止され、逆に、収納装置内に給水されて収納装置内に水が溜まると、掃除具が浮上等により収納装置の底部から上昇して離れ、これによりスイッチ切替手段からスイッチ手段が離れて、スイッチ手段がＯＮとなり、収納装置内に溜められている水中で掃除具が良好に駆動されて自己洗浄されることとなる。
【０００７】
また、本発明の掃除具の収納装置において、前記スイッチ手段が磁石式近接スイッチで構成され、前記スイッチ切替手段が磁石で構成されているものとすることもできる。
こうすれば、収納装置の底部にスイッチ切替手段を構成する磁石を設けておき、掃除具内には磁石式近接スイッチを設けておくことで、収納装置内の水が抜かれた状態では収納装置側の磁石に掃除具内の磁石式近接スイッチが近接して、磁石式近接スイッチがＯＦＦとなり、掃除具は良好に停止される。逆に、収納装置内に水が溜められると掃除具が上昇し、これにより磁石から磁石式近接スイッチが離れることで、磁石式近接スイッチがＯＮとなり、掃除具が駆動されて、掃除具が収納装置内で良好に自己洗浄されることとなる。
【０００８】
また、本発明の掃除具の収納装置において、前記掃除具は充電手段を有し、該充電手段に電力を供給する送電コイルで前記スイッチ切替手段が構成され、前記充電手段が充電されている時に前記スイッチ手段がＯＦＦされ、該充電手段が非充電状態で前記スイッチ手段がＯＮされるように構成されているものとすることもできる。
こうすれば、収納装置の底部に送電コイルを設けておき、収納装置内の水が抜かれた状態では送電コイルに対し掃除具内の充電手段が近接して、送電コイルの磁場を充電手段を介してスイッチ手段が検知し、これによりスイッチ手段がＯＦＦされて掃除具は停止状態となる。逆に、収納装置内に水が溜まった状態では浮力等により掃除具が上昇し、これにより送電コイルの磁場から充電手段が離れることでスイッチ手段がＯＮとなり、掃除具が駆動されて、掃除具が良好に収納装置内で自己洗浄されることとなる。
【発明を実施するための最良の形態】
【０００９】
次に、本発明を実施するための最良の形態を実施例を用いて説明する。
【実施例１】
【００１０】
図１〜図４は第１実施例を示すものである。
収納装置を構成する収納ケース１は、本例では、底面１ａと右側面１ｂ，左側面１ｃと天面１ｄを有する断面四角形状に形成されており、内部に水を溜めることができるものである。
収納ケース１の右側面１ｂの上部には給水管２が接続されており、この給水管２には開閉可能な給水弁２ａが設けられている。また、収納ケース１の底面１ａの左端側には排水管３が接続されており、排水管３には開閉可能な排水弁３ａが設けられている。また、収納ケース１の底面１ａの下部にはスイッチ切替手段を構成する送電コイル４が設けられている。
【００１１】
なお、収納ケース１は四角形状の他、円形あるいは楕円形のものであっても良い。この収納ケース１内には掃除具５が収納されるものである。
掃除具５は、外周にスポンジ等を有する外殻５ａに囲まれて、その内部は空洞となっており、この空洞内には駆動手段を構成するモーター６と、モーター６に電力を供給する電池７が設けられて駆動回路８が形成されており、この駆動回路８とは別に、電池７を充電することのできる充電手段を構成する受電コイル１１が内装されて、電池７と受電コイル１１間に充電回路１０が形成されており、この充電回路１０と駆動回路８の接続部にマイクロコンピュータで構成されたスイッチ手段９が設けられている。
なお、本例の掃除具５は、外殻５ａが横長の円柱形状に形成されたものである。
【００１２】
図１の状態では、収納ケース１内には水が存在しない状態であり、掃除具５は収納ケース１の底面１ａ上に乗った状態となっており、掃除具５内の底側に設けられている受電コイル１１が、収納ケース１の底面１ａの下部に設けられている送電コイル４に近接している。
この送電コイル４に高周波電圧を印加することにより送電コイル４は高周波磁界を発生し、掃除具５内に設けられている受電コイル１１と高周波磁界が鎖交する。これにより受電コイル１１に高周波電圧が誘起され、この高周波電圧を充電回路１０で整流，平滑，電圧制御して電池７を充電することができるものであり、受電コイル１１が送電コイル４に近接している状態では、スイッチ手段９が送電コイル４の磁場を検知し、充電回路１０がＯＮとなり、電池７が良好に充電され、駆動回路８はＯＦＦ（スイッチ手段９がＯＦＦ，モーター６もＯＦＦ状態）となる。
【００１３】
即ち、図１の状態では、掃除具５は停止されて内部の電池７が充電されている状態である。この図１の状態から給水弁２ａを開けると、図２のように、給水管２を通り収納ケース１内に水Ｗが流入される。
収納ケース１内の水Ｗの水位が上昇してくると、図３のように、内部が空洞になっている掃除具５が浮力により上昇し、これにより掃除具５内の受電コイル１１は収納ケース１側の送電コイル４と離れることとなる。
【００１４】
このように浮力により上昇し送電コイル４の磁場から離れると、スイッチ手段９はこれを検知して充電回路１０をＯＦＦし、駆動回路８をＯＮ（スイッチ手段９がＯＮ，モーター６もＯＮ状態）にする。これにより電池７からの電力がモーター６に供給されてモーター６が回転し、これに伴い掃除具５が水Ｗに浮かんだ状態で回転を開始する。
この掃除具５の回転により、外殻５ａの外周に設けられているスポンジ等が良好に水Ｗ内で洗浄されることとなり、掃除具５が駆動することで、掃除具５は収納ケース１内で自己洗浄されることとなる。
【００１５】
図３の状態では、給水弁２ａは閉じられており、その後、図４に示すように、排水弁３ａが開かれると、収納ケース１内の水Ｗは排水管３を通り徐々に抜かれてゆく。これに伴い水Ｗの水位が下がってゆき、やがて、掃除具５は収納ケース１の底面１ａに当接状態となる。
この図４の状態では、受電コイル１１が送電コイル４に近接し、スイッチ手段９が送電コイル４の磁場を検知し、スイッチ手段９は自動的にＯＦＦ状態となり、駆動回路８がＯＦＦされ、充電回路１０がＯＮされて、自動的に充電状態となり、掃除具５は停止状態となる。
【００１６】
このように駆動手段（モーター６，電池７）と、この駆動手段をＯＮ，ＯＦＦするスイッチ手段９を備えた掃除具５を、収納ケース１内に収納させて、給水弁２ａを開けて収納ケース１内に水を入れるだけで、収納ケース１内で掃除具５が浮上して、自動的に回転を開始して掃除具５が自己洗浄されるため、掃除具５の清掃が極めて容易なものとなる。
また、清掃が終った後は、給水弁２ａを閉じて排水弁３ａを開ければ自動的に掃除具５の回転が停止されて充電状態となり、充電端子の接続作業等などが全く不要である。
【００１７】
なお、図１〜図４では、掃除具５は横長円柱状のものを例示しているが、掃除具５は円形状あるいは楕円形状のものであっても良く、例えば図５〜図７に示すような球状の掃除具５においても、収納ケース１内に収納させて、収納ケース１内に給水することで、良好に自己洗浄させることができる。
【００１８】
図５は、球状の掃除具５の内部構造を示しており、図６および図７は、球状の掃除具５の正面図と底面図である。
この球状の掃除具５は球状の外殻５ａを有し、外殻５ａ内は密閉された空洞となっており、内部には、駆動手段である減速ギヤを備えたモーター６が設けられ、モーター６に電力を供給する電池７が設けられている。
また、中心部には横方向に延びてモーター６により回転される軸６ａが配設されており、軸６ａの先端側は外殻５ａに固定されている。また、軸６ａの下側には錘１２が設けられている。
また、外殻５ａ内部には、マイクロコンピュータで構成されたスイッチ手段９が内装されている。さらに、内部の底側には充電手段を構成する受電コイル１１が内装されている。
【００１９】
この掃除具５の外殻５ａの外周には、軸６ａに沿った方向および交差する方向に複数のスポンジ５ｂ，５ｂ，５ｂが設けられており、複数のスポンジ５ｂ，５ｂにより凹凸が形成されている。
この掃除具５では、受電コイル１１を介して電池７を充電することができ、電池７の電力がモーター６へ供給されることでモーター６が回転し、これにより軸６ａが回転されるが、この掃除具５が図３のように収納ケース１内の水Ｗ中に浮いている状態では、錘１２の慣性が強く働き、軸６ａが回転されると軸６ａに固定されている外殻５ａが回転を開始する。これにより外周のスポンジ５ｂ，５ｂが回転により自己洗浄されるものである。
【００２０】
なお、回転により、複数のスポンジ５ｂ，５ｂが水Ｗを掻いて推進力が得られ、掃除具５は回転しながら収納ケース１内で推進されて、収納ケース１の右側面１ｂあるいは左側面１ｃに押し付けられ、擦られることによっても良好にスポンジ５ｂが自己洗浄されることとなる。
なお、収納ケース１内に洗剤を入れ、さらにはタオルなどの布を入れておけば、掃除具５が回転されることで布と擦り合わされて、より効率良くスポンジ５ｂ，５ｂを洗浄することができるものとなる。
さらには、収納ケース１に超音波発生装置を付設させておけば、超音波発生装置から発生される超音波により、より強力に掃除具５に付いた汚れを落とすことができるものとなる。
【実施例２】
【００２１】
次に、図８〜図１１では第２実施例を示す。
第２実施例の収納ケース１は、底面１ａと右側面１ｂと左側面１ｃと天面１ｄによる断面四角形状に形成され、左側面１ｃの上部部位には、オーバーフロー水を排出できるオーバーフロー口１ｅが形成されている。また、底面１ａには、給水管２と排水管３が接続されており、給水管２には給水弁２ａが設けられ、排水管３には排水弁３ａが設けられている。
【００２２】
また、この収納ケース１内に収納される掃除具５は、横長円柱形状の外殻５ａの内部は空洞になっており、内部には、駆動手段を構成するモーター６と、モーター６に電力を供給する電池７とが設けられて駆動回路８が形成されており、この駆動回路８をＯＮ，ＯＦＦするスイッチ９ａが内装されている。このスイッチ９ａは磁石式近接スイッチで構成されている。
また、収納ケース１の底面１ａの下方には、スイッチ切替手段を構成する永久磁石１３が配設されている。
【００２３】
図１の状態では、収納ケース１の床面１ａ上に掃除具５が当接状態となっており、スイッチ９ａは永久磁石１３に近接し、永久磁石１３の磁場を検知してＯＦＦ状態となっている。従って、掃除具５は停止された状態である。この状態で図９に示すように、給水弁２ａを開けると、給水管２から上方へ向かって収納ケース１内に水Ｗが噴出されてゆく。
この給水管２から上方へ向かって噴出される水の水勢により、図１０に示すように掃除具５は浮上し、これによりスイッチ９ａが永久磁石１３から離れるため、スイッチ９ａはＯＮ状態となる。これにより駆動回路８がＯＮとなり、モーター６が駆動されて、掃除具５は収納ケース１内に溜められた水Ｗ内で回転駆動され、良好に自己洗浄されることとなる。
なお、溢れ水はオーバーフロー口１ｅから外部に排出することができ、給水弁２ａは連続して開けた状態に維持しておくことができる。
【００２４】
なお、図１１では、給水弁２ａを閉じて排水弁３ａを開けた状態であり、排水管３から徐々に水Ｗが排水されてゆくと、次第に掃除具５は収納ケース１の底面１ａ側に下降して、スイッチ９ａは永久磁石１３に近接し、これによりスイッチ９ａがＯＦＦされて、掃除具５の回転は停止される。
本例においても、給水弁２ａを開けて収納ケース１内に給水するのみで、収納ケース１内で掃除具５が回転駆動を始めて良好に自己洗浄するため、掃除具５の清掃が極めて容易なものとなる。
【００２５】
なお、本例では、磁石式の近接スイッチ９ａを掃除具５内に設けたものを例示しているが、この磁石式の近接スイッチ９ａに代えて機械式の接触スイッチを用いたものであっても良く、機械式のスイッチである場合には、掃除具５の重さにより収納ケース１の底面１ａに押し付けられた時にＯＦＦし、底面１ａから浮上した時にＯＮするものであれば良い。
なお、収納ケース１内で自己洗浄される掃除具５は、自ら回転駆動されるものの他、船のように浮かんで収納ケース１の側面１ｂ，１ｃに接触しながら移動し洗浄されるような構造のものであっても良い。例えば、図１２の断面図で、図１３の外観斜視図で示す掃除具５は、その一例である。
【００２６】
図１２の断面図で示すように、この掃除具５は外殻５ａ内が空洞となっており、内部にはモーター６と電池７が設けられ、モーター６により回転されるプロペラ１５が内装されており、プロペラ１５の上部にはストレーナ１６が設けられた構成となっている。
また、外殻５ａの上面側には、外側へ突出して鍔部５ｃが形成され、この鍔部５ｃの外周などにスポンジ５ｄが設けられて構成されている。また、外殻５ａの下端側には、外側へ貫通して噴水口５ｅが形成されている。
このような構成の掃除具５では、モーター６が駆動されるとプロペラ１５が回転し、これにより、水をストレーナ１６の内部に吸い込み、吸い込んだ水を噴水口５ｅから外側へ噴出させることができる。この噴出される水流により、図示Ａ方向への推進力が得られるように構成したものである。
【００２７】
なお、図１４に示すように、浴槽１８内にこの掃除具５を浮かせれば、推進力でスポンジ５ｄを内壁に擦りつけながら浴槽１８の内壁に沿って移動して、浴槽１８の内壁を良好に掃除でき、同時に、ストレーナ１６の内部に浴槽水を吸い込み、良好に浴槽水を濾過することができるものである。
この掃除具５が収納ケース１内に収納された状態では、掃除具５の底側に例えば磁石式近接スイッチ９ａを設けておけば、上記実施例と同様に、収納ケース１内に水が入ることによりスイッチがＯＮされて駆動を開始し、収納ケース１の側面１ｂ，１ｃに沿って移動し、良好にスポンジ５ｄを自己洗浄することができる。
【００２８】
なお、上記実施例においては、収納ケース１の底面１ａの下方に、スイッチ切替手段を構成する送電コイル４或いは永久磁石１３が配設されているものを例示しているが、送電コイル４或いは永久磁石１３等のスイッチ切替手段は収納ケース１の底面１ａ側に限らず、収納ケース１の右側面１ｂ或いは左側面１ｃ側に設けられていても良い。
【図面の簡単な説明】
【００２９】
【図１】第１実施例の収納ケース内に掃除具を収納した状態の概略構成図である。
【図２】収納ケース内に給水を開始した状態の概略構成図である。
【図３】収納ケース内で掃除具が浮上し、自己洗浄を始めた状態の概略構成図である。
【図４】収納ケース内の水を排水している状態の概略構成図である。
【図５】球形の掃除具の一例を示す内部構造図である。
【図６】球形の掃除具の正面外観構成図である。
【図７】図６の底面図である。
【図８】第２実施例の収納ケース内に掃除具を収納した状態の概略構成図である。
【図９】収納ケース内に給水を開始した状態の概略構成図である。
【図１０】収納ケース内で掃除具が浮上し、自己洗浄を始めた状態の概略構成図である。
【図１１】収納ケース内の水を排水している状態の概略構成図である。
【図１２】船タイプの掃除具の一例を示す内部構造図である。
【図１３】図１２の外観斜視図である。
【図１４】図１２および図１３に示す掃除具で浴槽内壁を掃除している使用状態図である。
【符号の説明】
【００３０】
１  収納ケース（収納装置）
１ａ  底面
１ｂ，１ｃ  側面
１ｅ  オーバーフロー口
２  給水管
２ａ  給水弁
３  排水管
３ａ  排水弁
４  送電コイル（スイッチ切替手段）
５  掃除具
５ａ  外殻
５ｂ  スポンジ
５ｃ  鍔部
５ｄ  スポンジ
５ｅ  噴水口
６  モーター（駆動手段）
６ａ  軸
７  電池
８  駆動回路
９  スイッチ手段
９ａ  スイッチ
１０  充電回路
１１  受電コイル（充電手段）
１２  錘
１３  永久磁石（スイッチ切替手段）
１５  プロペラ
１６  ストレーナ
Ｗ  水
【図１】
2010137130.tif 000003
【図２】
2010137130.tif 000004
【図３】
2010137130.tif 000005
【図４】
2010137130.tif 000006
【図５】
2010137130.tif 000007
【図６】
2010137130.tif 000008
【図７】
2010137130.tif 000009
【図８】
2010137130.tif 000010
【図９】
2010137130.tif 000011
【図１０】
2010137130.tif 000012
【図１１】
2010137130.tif 000013
【図１２】
2010137130.tif 000014
【図１３】
2010137130.tif 000015
【図１４】
2010137130.tif 000016